(57)【要約】      （修正有）【課題】工芸品、置物、建築物内装及び外装用壁材、天井材等として有用である立体彩色意匠構造体とその製造方法を提供する。【解決手段】多孔質基盤２上に漆喰からなり、その表面の一部又は全部を水彩絵具にて彩色を施した立体像４を形成してなる立体彩色意匠構造体１が提供される。このような立体彩色意匠構造体１は、例えば、漆喰を用いて多孔質基盤２上に立体像４を形成し、漆喰が生乾きの間に立体像２の表面の一部又は全部を水彩絵具にて着色した後、漆喰を乾燥させることによって得ることができる。漆喰として、予め水彩絵具にて着色した漆喰を用いることもできる。【選択図】図２
2014221546.tif 000002
【特許請求の範囲】
【請求項１】
多孔質基盤上に漆喰からなり、その表面の一部又は全部を水彩絵具にて彩色を施した立体像を形成してなる立体彩色意匠構造体。
【請求項２】
多孔質基盤が石膏ボード、樹脂発泡体又は段ボール紙からなるものである請求項１に記載の立体彩色意匠構造体。
【請求項３】
多孔質基盤が発泡ポリスチレンからなるものである請求項１に記載の立体彩色意匠構造体。
【請求項４】
漆喰が無機微細骨材を含むものである請求項１に記載の立体彩色意匠構造体。
【請求項５】
漆喰を用いて多孔質基盤上に立体像を形成し、上記漆喰が生乾きの間に上記立体像の表面の一部又は全部を水彩絵具にて着色した後、上記漆喰を乾燥させることを特徴とする立体彩色意匠構造体の製造方法。
【請求項６】
予め水彩絵具にて着色した漆喰を用いて多孔質の基盤上に立体像を形成し、上記漆喰を乾燥させることを特徴とする立体彩色意匠構造体の製造方法。
【請求項７】
予め水彩絵具にて着色した漆喰を用いて多孔質の基盤上に立体像を形成し、上記漆喰が生乾きの間に上記立体像の表面の一部又は全部を水彩絵具にて着色した後、上記漆喰を乾燥させることを特徴とする立体彩色意匠構造体の製造方法。
【請求項８】
請求項５から７のいずれかに記載の方法において、多孔質基盤が石膏ボード、樹脂発泡体又は段ボール紙からなるものである方法。
【請求項９】
請求項５から７のいずれかに記載の方法において、多孔質基盤が発泡ポリスチレンからなるものである方法。
【請求項１０】
請求項５から７のいずれかに記載の方法において、漆喰が無機微細骨材を含むものである方法。
【発明の詳細な説明】
【技術分野】
【０００１】
本発明は立体彩色意匠構造体とその製造方法に関する。詳しくは、本発明は、工芸品、置物、建築物内装及び外装用壁材、天井材等として有用である立体彩色意匠構造体とその製造方法に関する。
【背景技術】
【０００２】
従来、漆喰を用いる描画技法として、フレスコがよく知られている。フレスコは、壁に漆喰を塗り、その漆喰が生乾きの間に水又は石灰水で溶いた顔料で描画する技法である。漆喰における固化性成分は消石灰、即ち、水酸化カルシウムであって、空気中の炭酸ガスと反応して徐々に水不溶性の炭酸カルシウムを形成して固化し、その間に顔料を炭酸カルシウム中に固定化して堅牢な画像を形成する。
【０００３】
そこで、このようなフレスコ技法を利用して、建築用ボード等として用いることができる彩色意匠構造体が提案されている（特許文献１参照）。即ち、剥離シート上に親水性ポリマーを層状に塗布し、親水性インキにてその親水性ポリマー層上に彩色画像を描き、次いで、基盤上に塗布した漆喰層に上記親水性ポリマー層に描いた上記画像が対面するように上記剥離シートを上記漆喰層に重ね、養生して、上記親水性ポリマーを上記彩色画像と共に漆喰層に浸透させると共に漆喰を固化させ、この後、前記剥離シートを漆喰層から除去して、基盤上に固化した漆喰層を有し、この漆喰層に上記彩色画像が固定化された彩色意匠構造体を得ることができる。
【先行技術文献】
【特許文献】
【０００４】
【特許文献１】特開２００７−２９６８０４号公報
【発明の概要】
【発明が解決しようとする課題】
【０００５】
本発明は、工芸品、置物、建築物内装及び外装用壁材、天井材等として有用である立体彩色意匠構造体を提供することを目的とし、更に、そのような立体彩色意匠構造体の製造方法を提供することを目的とする。
【課題を解決するための手段】
【０００６】
本発明によれば、多孔質基盤上に漆喰からなり、その表面の一部又は全部を水彩絵具にて彩色を施した立体像を形成してなる立体彩色意匠構造体が提供される。
【０００７】
本発明によれば、上記多孔質基盤は、石膏ボード、発泡樹脂又は段ボール紙からなるものであることが好ましく、特に、発泡樹脂である場合には、発泡ポリスチレンからなるものであることが好ましい。
【０００８】
特に、本発明によれば、漆喰は、無機微細骨材、なかでも、炭酸カルシウムのような石灰質微細骨材を含むものであることが好ましい。
【０００９】
また、本発明によれば、上述したような立体彩色意匠構造体の製造方法が提供される。
【００１０】
即ち、第１の方法として、漆喰を用いて多孔質基盤上に立体像を形成し、上記漆喰が生乾きの間に上記立体像の表面の一部又は全部を水彩絵具にて着色した後、上記漆喰を乾燥させることを特徴とする立体彩色意匠構造体の製造方法が提供される。
【００１１】
本発明によれば、第２の方法として、予め水彩絵具にて着色した漆喰を用いて多孔質の基盤上に立体像を形成し、上記漆喰を乾燥させることを特徴とする立体彩色意匠構造体の製造方法が提供される。
【００１２】
本発明によれば、第３の方法として、予め水彩絵具にて着色した漆喰を用いて多孔質の基盤上に立体像を形成し、上記漆喰が生乾きの間に上記立体像の表面の一部又は全部を水彩絵具にて着色した後、上記漆喰を乾燥させることを特徴とする立体彩色意匠構造体の製造方法が提供される。
【００１３】
本発明によるこのような立体彩色意匠構造体の製造方法において、上記多孔質基盤は、石膏ボード、発泡樹脂又は段ボール紙からなるものであることが好ましく、特に、発泡樹脂である場合には、発泡ポリスチレンからなるものであることが好ましい。
【００１４】
特に、本発明によれば、基盤上に厚塗りし、盛り上げて、立体像を容易に形成することができるように、漆喰は、無機微細骨材、なかでも、炭酸カルシウムのような石灰質微細骨材を含むものであることが好ましい。
【発明の効果】
【００１５】
本発明によれば、上述したようにして、基盤上に堅牢な彩色を施した立体意匠構造体を容易に得ることができる。このような立体彩色意匠構造体は、堅固で彩色は堅牢であって、工芸品、置物、建築物内装及び外装用壁材、天井材等として有用である。そのような立体彩色意匠構造体は、本発明に従って、容易に製造することができる。
【図面の簡単な説明】
【００１６】
【図１】本発明による立体彩色意匠構造体の一例の平面図である。
【図２】本発明による上記立体彩色意匠構造体の正面部分断面図である。
【発明を実施するための形態】
【００１７】
本発明による立体彩色意匠構造体は、多孔質基盤上に漆喰からなり、その表面の一部又は全部を水彩絵具にて彩色を施した立体像を有してなるものである。
【００１８】
このような立体彩色意匠構造体は、本発明に従って、次のようにして得ることができる。即ち、本発明による立体彩色意匠構造体の製造方法の第１は、漆喰を用いて多孔質基盤上に立体像を形成し、上記漆喰が生乾きの間に上記立体像の表面の一部又は全部を水彩絵具にて着色した後、上記漆喰を乾燥させることを特徴とするものであり、第２は、予め水彩絵具にて着色した漆喰を用いて多孔質の基盤上に立体像を形成し、上記漆喰を乾燥させることを特徴とするものであり、第３は、予め水彩絵具にて着色した漆喰を用いて多孔質の基盤上に立体像を形成し、上記漆喰が生乾きの間に上記立体像の表面の一部又は全部を水彩絵具にて着色した後、上記漆喰を乾燥させることを特徴とするものである。
【００１９】
先ず、本発明によるこのような製造方法について説明する。本発明において、基盤は、その表面に漆喰を塗布して立体像を形成したとき、漆喰が基盤の表面の多数の気泡中に侵入し、その後に固化して、上記立体像が基盤の表面に強固に接着するように、表面に多数の気泡を有する多孔質体であることが必要であり、従って、例えば、石膏ボード、樹脂発泡体又は段ボール紙からなるものであることが好ましい。
【００２０】
特に、本発明によれば、多孔質基盤として、軽量であり、取り扱いが容易である発泡樹脂からなるものが好ましい。多孔質基盤として、発泡ポリスチレンからなるものを用いるときは、例えば、建材として容易に入手することができる押出発泡成形による「スタイロフォーム」(登録商標、ダウ化工（株）製）等が好ましく用いられる。
【００２１】
これらの発泡ポリスチレンを多孔質基盤として用いる場合には、通常、前処理としてのシーラー処理を必要としないが、しかし、シーラー処理を施してもよい。シーラー処理には、通常、カチオン界面活性剤の水溶液が用いられる。
【００２２】
漆喰は、よく知られているように、固化性成分として水酸化カルシウム（消石灰）を含み、これを海藻糊や水溶性樹脂のような糊剤、後述するような無機微細骨材、更に、必要に応じて、セルロース繊維のような繊維、アラビアガム、グアーガム等のような増粘剤、アクリル樹脂エマルジョンのような合成樹脂エマルジョン、顔料等と共に水で混練してなり、建築物の内外壁の仕上げ材として用いられている。即ち、建築物の内外壁の表面に塗布し、放置（養生）すれば、水酸化カルシウムが空気中の炭酸ガスと反応して固化して、所謂漆喰壁を形成する。
【００２３】
本発明においては、基盤上に漆喰を例えば厚塗りし、盛り上げて、所望の立体像を形成するので、用いる漆喰は、無機微細骨材を含むことが好ましい。但し、本発明において、基盤上に立体像を形成する手法は限定されるものではなく、必要に応じて、適宜の補助具を用いてもよいことはいうまでもない。
【００２４】
上記無機微細骨材としては、例えば、平均粒径０．１〜５ｍｍ程度の炭酸カルシウム粒子からなる微細骨材を挙げることができる。
【００２５】
本発明においては、用いる漆喰は、必要に応じて、繊維を含有していてもよい。繊維としては、例えば、長さ０．１〜５ｍｍ程度のセルロース繊維や合成樹脂繊維を挙げることができる。
【００２６】
このように、本発明においては、漆喰として、好ましくは、糊剤と共に無機微細骨材を含むものであれば、いずれでも好適に用いることができる。例えば、市販品として容易に入手することができる所謂既調合漆喰や、また、輸入品として容易に入手することができる西洋漆喰又はヨーロッパ漆喰と呼ばれている漆喰を好適に用いることができる。
【００２７】
西洋漆喰は、種々のものを市販品として入手することができる。そのような西洋漆喰としては、例えば、大橋塗料（株）より入手し得るスペイン漆喰である商品名「パビスタンプ」、（株）プロホーム・大台より入手し得るヨーロッパ漆喰である商品名「エスタコウォール」等を挙げることができる。
【００２８】
勿論、水酸化カルシウムに糊剤、無機微細骨材、必要に応じて、繊維、増粘剤や合成樹脂エマルジョン等を適宜量、配合し、水と共に混練して、漆喰を調製し、これを本発明において用いることもできる。
【００２９】
本発明による立体彩色意匠構造体の形成方法によれば、前述したように、彩色立体像を形成するために、漆喰を用いて多孔質基盤上に立体像を形成し、上記漆喰が生乾きの間に上記立体像の表面を水彩絵具にて彩色を施してもよい。また、漆喰材料を水で混練して漆喰を調製する際に水彩絵具を混合して、予め、水彩絵具で彩色を施した漆喰を調製し、この漆喰を用いて、上述したように、基盤上に立体像を形成してもよい。また、上述したように、予め水彩絵具にて着色した漆喰を用いて多孔質の基盤上に立体像を形成し、この漆喰を用いて、基盤上に立体像を形成し、更に、この立体像を水彩絵具にて彩色を施してもよい。
【００３０】
本発明によれば、このようにして、基盤上に漆喰からなる彩色を施した立体像を形成した後、養生することによって、水彩絵具中の顔料が炭酸カルシウムによって立体像の表面に固定された立体彩色意匠構造体を形成することができる。
【００３１】
本発明において、水彩絵具としては、特に、限定されることなく、通常の市販品を用いることができる。水彩絵具は、通常、溶剤としての水と着色顔料と水溶性樹脂を含み、必要に応じて、体質顔料や保湿剤を含む。
【００３２】
用いる漆喰や、環境の温度や湿度にもよるが、基盤上に漆喰による立体像を形成した後、通常、１０〜３０分程度で漆喰が生乾きになるので、立体像に速やかに彩色を施し、１〜３日程度、養生すれば、漆喰が十分に硬化し、乾燥する。
【００３３】
本発明においては、求める意匠やその用途にもよるが、例えば、多孔質基盤の表面と側面の全体に層状に漆喰を塗布して下地層を形成し、上記多孔質基盤の表面の下地層上に更に漆喰にて立体像を形成することが好ましい。しかし、必要に応じて、また、求める意匠やその用途によっては、例えば、多孔質基盤の表面の一部において、漆喰の下地層を設けることなく、多孔質基盤の表面上に直ちに漆喰にて立体像を形成してもよい。
【００３４】
図１に本発明による立体彩色意匠構造体１の一例の平面図を示し、図２に上記本発明による上記立体彩色意匠構造体の正面部分断面図を示す。
【００３５】
図１及び図２に示すように、多孔質基盤２の表面と側面の全体に漆喰を層状に塗布して下地３とし、この多孔質基盤の表面の下地の中央部に漆喰を盛り上げて立体像４を形成した後、表面周縁部５と、必要に応じて、側縁部６に、上記立体像が生乾きの間にそれぞれに彩色を施し、乾燥させることによって、本発明による立体彩色意匠構造体を得ることができる。図示しないが、例えば、必要に応じて、このような立体像を備えた基盤を台紙上に接着すれば、置物や工芸品として有用なレリーフを得ることができる。
【００３６】
本発明による立体彩色意匠構造体は、漆喰からなるので、堅固であり、その表面に施した彩色は、フレスコにおけるように、堅牢であり、従って、工芸品、置物、建築物内装及び外装用壁材、天井材等として有用である。
【００３７】
本発明による立体彩色意匠構造体の具体的な製造例を示す。
【００３８】
製造例
平均粒径０．５ｍｍの無機微細骨材を含む内装用ヨーロッパ漆喰である「エスタコウォール・フィノ」２５０ｇをプラスチック容器中の水５０ｇに加え、攪拌して、均一なスラリー状の漆喰を得た。厚み２０ｍｍ、縦横各１８００×９００ｍｍの「スタイロフォーム」をカッターナイフにて縦横１１×１１ｍｍに裁断し、多孔質基盤として、これを塩化ビニル樹脂板上に置いた。
【００３９】
上記多孔質基盤の表面と側面に上記漆喰を下塗りして下地を形成し、上記多孔質基盤の表面の下地上に漆喰を盛り上げて立体像を形成し、次いで、水で溶いた水彩絵具を漆喰が生乾きの間に上記立体像に載せるようにして彩色を施した後、室温で放置して、漆喰を乾燥させた。このようにして、上記多孔質基盤の表面の下地上に立体像を備えた立体彩色意匠構造体を得、上記基盤の底面を接着剤にて台紙に接着して、レリーフに仕上げた。
【符号の説明】
【００４０】
１…立体彩色意匠構造体
２…多孔質基盤
３…下地（漆喰）
４…立体像（漆喰）
５…表面周縁部
６…側縁部
【図１】
2014221546.tif 000003
【図２】
2014221546.tif 000004